(57)【要約】【課題】  農薬散布によらず、有用植物へのアブラムシの寄生を未然に防ぎ、アブラムシが寄生した後であっても、蟻が侵入できない、害虫忌避装置とその使用方法を提供する。【解決手段】  筒形状を有する外壁１と、前記外壁の周囲に設けられ、害虫忌避剤を貯留可能な忌避剤貯留溝３と、外壁１の一方の辺に設けられた杭状先端２を有する害虫忌避装置を、植物の周囲に配置する。害虫忌避装置設置の際は、巻き筒状の包葉板で植物を包み、植物の枝葉の損傷を防ぐ。また、忌避剤としては、水、木酢液。食用廃油などを用いることできる。【選択図】図１
2011083265.tif 000002
【特許請求の範囲】
【請求項１】
筒形状を有する外壁と、前記外壁の周囲に設けられてなる害虫忌避剤の貯留溝と、前記外壁の一方の辺に設けられてなる杭状先端を有することを特徴とする害虫忌避装置。
【請求項２】
前記貯留溝の周縁に、複数の前記害虫忌避装置を接合し、かつ前記貯留溝を連通するための手段を有することを特徴とする、請求項１に記載の害虫忌避装置。
【請求項３】
巻き筒状の包葉板で植物を包んだ後、前記植物を前記外壁の内側の配置した状態で、前記害虫忌避装置を培地に設置し、前記杭状先端を培地に貫入させることにより、前記害虫忌避装置を固定し、前記貯留溝に害虫忌避剤を貯留することを特徴とする、請求項１または請求項２に記載の害虫忌避装置の使用方法。
【発明の詳細な説明】
【技術分野】
【０００１】  本発明は、有用植物に寄生する害虫、特にアブラムシ等の侵入を忌避し、アブラムシと共生する蟻をも忌避防除する装置とその使用方法に関するものである。
【背景技術】
【０００２】  農作物に甚大な被害を及ぼすアブラムシ等の防除方法として農薬散布駆除方法が一般的である。農薬散布時は保護用具を装着する必要があり、着用衣服も一般洗濯物と区分して扱いが指示されている。しかも、残留農薬の関係より散布時期、回数等、守るべき事項が多いばかりでなく、農薬散布は、アブラムシの天敵である昆虫類も駆除してしまい、環境への負荷も大きい。【０００３】  一方で、農薬より取り扱いが容易な木酢液、タバコの液、焼酎とトウガラシ液、薄めた牛乳等々を散布する方法も実施されているが、効果の再現性が乏しい。【０００４】  また、例えば特許文献１に開示されているように、アブラムシが光を嫌う習性を利用し、光を反射する銀と黒のマルチ、アルミ板を作物の根本に敷設することも行なわれているが、天候による光源の強弱、光反射材の劣化、汚れ等により、効果に不確定要素かある。【０００５】  これに対し、より確実な駆除方法として、人手にてアブラムシ類を潰して、取り除く方法も行なわれているが、時間と手間が掛かるにも関わらず、取り残し等があり万全を期し難い。【０００６】  さらに、アブラムシ類はアリマキと称されるように、蟻とは共生関係にあり、分泌物を与える替わりに、アブラムシ類の天敵である昆虫から守って貰う習性があるが、従来の技術では蟻の侵入に対する対策が欠けていた。
【先行技術文献】
【特許文献】
【０００７】
【特許文献１】  特開平１１−２２０９９７号公報
【発明の開示】
【発明が解決しようと課題】
【０００８】  従って、本発明の課題は、農薬散布によらず、有用植物へのアブラムシの寄生を未然に防ぎ、アブラムシが寄生した後であっても、蟻が侵入できない、害虫忌避装置とその使用方法を提供することにある。
【課題を解決する手段】
【０００９】  本発明は前記課題を解決する手段として、植物の周囲に壁を地面に密着させた状態で設けることにより、害虫の地面からの歩行侵入を防ぎ、さらに壁の周囲に忌避液体を貯留させる溝を設け、アブラムシ類、蟻等の害虫の侵入を直接的に忌避、防除することを検討した結果なされたものである。
【００１０】  即ち、本発明は、筒形状を有する外壁と、前記外壁の周囲に設けられてなる害虫忌避剤の貯留溝と、前記外壁の一方の辺に設けられてなる杭状先端を有することを特徴とする害虫忌避装置である。
【００１１】  また、本発明は、前記貯留溝の周縁に、複数の前記害虫忌避装置を接合し、かつ前記貯留溝を連通する手段を有することを特徴とする、前記の害虫忌避装置である。
【００１２】  また、本発明は、巻き筒状の包葉板で植物を包んだ後、前記植物を前記外壁の内側の配置した状態で、前記害虫忌避装置を培地に設置し、前記杭状先端を培地に貫入させることにより、前記害虫忌避装置を固定し、前記貯留溝に害虫忌避剤を貯留することを特徴とする、前記の害虫忌避装置の使用方法である。
【発明の効果】
【００１３】  本発明による害虫忌避装置は、植物の周囲に防護用の壁と忌避剤を貯留し得る溝を設けることで、植物にアブラムシなどの地面から侵入する害虫が近づけないようにしたものである。そのために、限定された範囲にのみ効果を及ぼし、害虫の天敵となる昆虫や、受粉に有用な蜂などの昆虫を排除することがなく、環境への負荷低減にも寄与する。
【００１４】  また、本発明の害虫忌避装置は、地面に設置する側に杭状先端を具備するので、地面への固定が確実に行なえ、複数の害虫忌避装置を接合し、貯留溝を連通する手段を具備しているので、一つの害虫忌避装置に忌避剤を注入することで、複数の害虫忌避装置に忌避剤を供給でき、効率的な運用が可能となる。
【図面の簡単な説明】
【００１５】
【図１】  本発明の害虫忌避装置の一例を示す図、図１（ａ）は平面図、図１（ｂ）はＡＡ断面図。
【図２】  接合手段を具備した一例を示す図、図２（ａ）は平面図、図２（ｂ）はＡＡ断面図。
【図３】  巻き筒状の包葉板を示す図、図３（ａ）は、巻き筒の形状の概要、図３（ｂ）植物を包んだ状態。
【図４】  本発明の害虫忌避装置の使用状態を示す図。
【発明を実施するための形態】
【００１６】  次に本発明の害虫忌避装置の実施形態について、具体的な図に基づき説明する。
【００１７】  図１は、本発明の害虫忌避装置の一例を示す図で、図１（ａ）は平面図、図１（ｂ）はＡＡ断面図である。図１において、１は外壁、２は杭状先端、３は忌避剤貯留溝壁、４は忌避剤貯留溝である。図１に示したように、外壁１は筒状で上下が開放された形状であり、筒の内部に植物が配置されるようにして用いる。
【００１８】  図２は本発明の害虫忌避装置で、接合手段を具備した一例を示す図で、図２（ａ）は平面図、図２（ｂ）はＡＡ断面図である。図２において、５ａ、５ｂは複数の害虫忌避装置を連結するための接合手段であり、接合手段５ａと接合手段５ｂを嵌合することにより、害虫忌避装置を連結する。
【００１９】  また、図２に示したように、接合手段５ａ、接合手段５ｂにはそれぞれ忌避剤貯留溝３を連通させるための貫通孔が設けられていて、一つの害虫忌避装置の忌避剤貯留溝３に忌避剤を注入すると連結された害虫忌避装置すべてに忌避剤が供給される。なお、害虫忌避装置を単独で用いる際は、それぞれの貫通孔に栓を取り付ければよいのは勿論である。
【００２０】  図３は、植えつけられた植物に、本発明の害虫忌避装置を設置する際に用いる、巻き筒状の包葉板を示す図で、図３（ａ）は、巻き筒の形状の概要であり、図３（ｂ）植物を包んだ状態を示す。図３において、６は巻き筒状の包葉板、７は植物である。巻き筒状の包葉板６には、適当な可撓性を有するプラスチック製のシートなどを用いることができる。
【００２１】  具体的には、ポリエチレンテレフタレートなどのシートを、植物７に巻きつけ、紐などを用いて軽く結束し、害虫忌避装置を設置する。これによって害虫忌避装置を設置する際の、植物７の枝葉の損傷を未然に防止することができる。
【００２２】  図４は、本発明の害虫忌避装置の使用状態を示す図である。図４において、８は害虫忌避装置、９は植物、１０は支柱、１１は補材紐、１２は培地である。このように害虫忌避装置８を設置し、外壁１に周囲に隙間ができないように土寄せすることで、植物９の周囲を忌避剤貯留溝３で囲むことができ、地面からアブラムシや蟻が侵入するのを防ぐことができる。
【００２３】  なお、忌避剤としては、水道水、木酢液、食用廃油などを用いることができ、水を用いる場合は、食用廃油を数滴添加するのが効果的である。これによって、アブラムシ、蟻などが水の表面張力で浮遊して、忌避剤貯留溝３を越えて内部に侵入することを防ぐことができる。
【００２４】  以上に説明したように、本発明によれば、アブラムシなどの害虫の侵入を効果的に防止できる、害虫忌避装置が得られる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２５】１          外壁
２          杭状先端
３          忌避剤貯留溝壁
４          忌避剤貯留溝
５ａ，５ｂ  接合手段
６          巻き筒状の包葉板
７，９      植物
１０        支柱
１１        補材紐
１２        培地
【図１】
2011083265.tif 000003
【図２】
2011083265.tif 000004
【図３】
2011083265.tif 000005
【図４】
2011083265.tif 000006